(57)【要約】  【課題】断熱コーヒー容器に関し、容器の重量、液体の容量、容器の生産コスト、蓄熱体といった消耗品のランニングコストの改善を図る。  【解決手段】断熱コーヒー容器は、排出パイプ４を設けた直方体形状の内容器２と、排出パイプ４と連通する抽出弁５を備え内容器２を覆う直方体形状の外ケース１と、内容器２と外ケース１との間に配設される熱貫流率が１．５Ｗ／ｍ2Ｋ以下の真空断熱材３とを備え、真空断熱材３は、内容器２の側面および底面に、真空断熱材３のヒレ状の外周部３ａを内容器２の外側に向け折り曲げた状態で、粘着体により貼り付けられる構成となっており、内容器２の側面および底面を液体コーヒーの断熱する箇所とし、内容器２の天面を液体コーヒーの放熱する箇所とした。【選択図】図１
2006239198.tif 000002
【特許請求の範囲】
【請求項１】
排出パイプを設けた内容器と、前記排出パイプと連通する抽出弁を備え前記内容器を覆う外ケースと、前記内容器と前記外ケースとの間に配設される熱貫流率が１．５Ｗ／ｍ2Ｋ以下の真空断熱材とを備え、前記真空断熱材は、前記内容器の天面、側面および底面のいずれか一面を除く他の前記内容器の天面、側面および底面の少なくとも一面に、前記真空断熱材のヒレ状の外周部を前記内容器の外側に向け折り曲げた状態で、粘着体により貼り付けられることを特徴とした断熱コーヒー容器。
【請求項２】
前記内容器の側面および底面には前記真空断熱材を貼り付け、前記内容器の天面には前記真空断熱材を貼り付けないことを特徴とした請求項１に記載の断熱コーヒー容器。
【請求項３】
排出パイプを設けた内容器と、前記排出パイプと連通する抽出弁を備え前記内容器を覆う外ケースと、前記内容器と前記外ケースとの間に配設される熱貫流率が１．５Ｗ／ｍ2Ｋ以下の真空断熱材と、前記内容器の天面、側面および底面のいずれか一面を加熱可能に前記内容器と前記外ケースとの間に配設されるＰＴＣヒータとを備え、前記真空断熱材は、前記内容器の天面、側面および底面のいずれか一面を除く他の前記内容器の天面、側面および底面の少なくとも一面に、前記真空断熱材のヒレ状の外周部を前記内容器の外側に向け折り曲げた状態で、粘着体により貼り付けられることを特徴とした断熱コーヒー容器。
【請求項４】
前記内容器の側面には前記真空断熱材を貼り付け、前記内容器の天面には前記真空断熱材を貼り付けず、前記内容器の底面に前記ＰＴＣヒータを貼り付けることを特徴とした請求項３に記載の断熱コーヒー容器。
【請求項５】
前記真空断熱材は、熱溶着層同士が対向する外被材の間に複数の芯材が互いに所定間隔離れて減圧密封されて成り、対向する前記熱溶着層同士が密着している部分がそれぞれの前記芯材形状に沿うように前記芯材の際まで熱溶着されているものであり、前記真空断熱材が、隣接する前記芯材と前記芯材との間における対向する外被材同士が溶着されている部分で折り曲げられた状態で、前記内容器の天面、側面および底面のいずれかの複数の面を一緒に覆っていることを特徴とした請求項１から請求項４のいずれか一項に記載の断熱コーヒー容器。
【請求項６】
真空断熱材は、外被材の間に芯材が存在する芯材部において折り曲げられた状態で、前記内容器の天面、側面および底面のいずれかの複数の面を一緒に覆っていることを特徴とした請求項１から請求項４のいずれか一項に記載の断熱コーヒー容器。
【発明の詳細な説明】
【技術分野】
【０００１】
本発明はコーヒーサーバータンクに用いられる液体容器に真空断熱材を持たせた断熱コーヒー容器に関するものである。
【背景技術】
【０００２】
従来、この種の液体容器は、ドリップマシーンのヒータ加熱による味の劣化を防ぐとともに、一定以上の温度に長時間保持するために、ステンレス製の真空二重びんを内容器としたり、ホーロー製の一重びんを内容器としたりしている（例えば、特許文献１参照）。
【０００３】
ステンレス製の真空二重びんを内容器とした場合は、内容器の底板にその下面に突設したチップ管の高さより高い内向きのわん曲部を形成した構成としたものであり、真空二重びんにより断熱されるので、所定時間、所定の温度に維持される。
【０００４】
ホーロー製の一重びんを内容器とした場合は、内容器と外ケースとの間に発砲ウレタン等の断熱材を充填し、内容器の底板下面と外ケースとの間に空所を設け、その空所に設けた左右方向の開口から蓄熱体を出し入れ自在に挿入し、蓄熱体を内容器の底面に接触させた構成としたものであり、蓄熱体の作用により、保温効果が持続する。
【０００５】
また、近年、真空断熱材は、冷蔵庫に保冷する手段として適用されており、従来、この種の冷蔵庫は外箱と内箱の間にウレタンフォームと真空断熱材を備えている（例えば、特許文献２参照）。
【０００６】
真空断熱材を両側面、天面、背面、底面、および前面に配置し、外箱の表面積に対して真空断熱材の被覆率が５０％を超え８０％以下とし、箱体強度として問題がなく、かつ高い断熱性能を確保している。
【０００７】
さらに、真空断熱材は、電気湯沸かし器に保温する手段として適用されており、従来、この種の電気湯沸かし器は、液体を収容する有底筒状の容器と、容器内の液体を加熱・保温する加熱手段とサーミスター等の感温素子と、感温素子から電気信号により容器内の液体の温度を制御する制御回路と、容器内の上方開口部を覆う蓋体と、容器の外周部に筒状に位置する真空断熱材と、真空断熱材の外周部に位置するボデーを有している（例えば、特許文献３参照）。
【０００８】
容器を保持する注口の一部で一体に構成した上部封止部材を真空断熱材の外方に接して全周もしくは一部に設けて、真空断熱材の上方端部外周部隙間が上部封止部材により封止されてなり、保温時の電力量を大幅に低減し、経済性が高く、しかも組立作業が良好で、使い勝手のよりものとしている。
【特許文献１】特許第３０４６７２５号公報
【特許文献２】特許第３４９３００９号公報
【特許文献３】特許第３５１３００６号公報
【発明の開示】
【発明が解決しようとする課題】
【０００９】
しかしながら、従来の構成では、ステンレス製の真空二重びんを内容器としたので、重量が重くなり、迅速な取り扱いが困難となり、内容器の底板にその下面に突設したチップ管の高さより高い内向きのわん曲部を形成したので、容量が少なく、コーヒーをドリップする回数が増えてしまうという欠点があった。
【００１０】
本発明は、従来の課題を解決するもので、軽量で迅速な取り扱いが可能で、容量も多く、コーヒーをドリップする回数を少なくすることを可能とした断熱コーヒー容器を提供することを目的とする。
【００１１】
また、従来は、ホーロー製の一重びんを内容器とし、内容器と外ケースとの間に発砲ウレタン等の断熱材を充填したので、断熱材の配設に多大な設備投資が必要で充填に手間がかかり、蓄熱体を必要とするので、蓄熱体の加熱、出し入れの手間がかかり、また蓄熱体は消耗品のため、ランニングコストもかかるという欠点があった。
【００１２】
本発明の他の目的は、断熱材の配設に設備投資が必要なく、充填に手間がかからず、保温を持続させるために手間をかけることなく、また消耗品のランニングコストがかからない断熱コーヒー容器を提供することである。
【００１３】
さらに、従来の冷蔵庫同様、真空断熱材を両側面、天面、背面、底面、および前面に配置し、外箱の表面積に対して真空断熱材の被覆率が５０％を超え８０％以下とする仕様により、コーヒーサーバータンクに用いられる液体容器に適用すると、低温断熱箱体である冷蔵庫の仕様では、高温における容器の断熱性が大きく変わり、コーヒーの味が損なわれない温度帯（７８〜８２℃）に保つことが実際に容易でないという欠点があった。
【００１４】
本発明の他の目的は、コーヒーの味が損なわれない温度帯に保つことが出来るような断熱コーヒー容器に配設した真空断熱材の最適な適用仕様を提供することである。
【００１５】
また、従来の電気湯沸かし器同様、液体を収容する有底筒状の容器と、容器内の液体を加熱・保温する加熱手段と容器内の上方開口部を覆う蓋体と、容器の外周部に筒状に位置する真空断熱材と、真空断熱材の外周部に位置するボデーで構成した仕様により、コーヒーサーバータンクに用いられる液体容器に適用すると、液体の温度制御に感温素子や制御回路が必要となり、さらに真空断熱材を上部封止部材により封止するので、容器に金型投資が必要となる等、生産コストが大幅にかかるという欠点があった。
【００１６】
加えて、感温素子や制御回路によりコーヒーを温度制御すると、部品点数が多くコスト高となり、重量が重くなり迅速な取り扱いが困難となり、容量が少なく、また温度に対する制御回路の応答が鈍く、コーヒーの味が損なわれない温度帯（７８〜８２℃）に保つことが難しいという欠点があった。
【００１７】
本発明の他の目的は、金型投資を必要とせず、部品点数が少なく低コストで、コーヒーの味が損なわれない温度帯で温度制御出来る断熱コーヒー容器を提供することである。
【課題を解決するための手段】
【００１８】
上記目的を達成するために、本発明の断熱コーヒー容器は、排出パイプを設けた内容器と、前記排出パイプと連通する抽出弁を備え前記内容器を覆う外ケースとの間に真空断熱材を最適な適用仕様で配設したものである。
【００１９】
これによって、軽量で、容量も多く、また断熱材の配設に設備投資が必要なく、蓄熱体を必要としない断熱コーヒー容器となる。
【００２０】
また、コーヒーの味が損なわれないまま、所定温度、所定の時間に保温、保冷することが可能な断熱コーヒー容器となる。
【発明の効果】
【００２１】
本発明の断熱コーヒー容器は、真空断熱材により断熱するので、軽量で、容量も多いコーヒーサーバータンクに用いられる液体容器を提供することが出来る。
【００２２】
また、本発明の断熱コーヒー容器は、断熱材の配設に設備投資が必要なく、充填に手間がかからないので、さらには生産コストを下げることが出来る。
【００２３】
また、本発明の断熱コーヒー容器は、蓄熱体を必要としないので、消耗品のランニングコストがかからない断熱コーヒー容器を提供することが出来る。
【００２４】
さらに、本発明の断熱コーヒー容器は、コーヒーの味が損なわれない真空断熱材の最適な適用仕様と温度制御をすることが出来る。
【発明を実施するための最良の形態】
【００２５】
本発明の請求項１に記載の断熱コーヒー容器の発明は、排出パイプを設けた内容器と、前記排出パイプと連通する抽出弁を備え前記内容器を覆う外ケースと、前記内容器と前記外ケースとの間に配設される熱貫流率が１．５Ｗ／ｍ2Ｋ以下の真空断熱材とを備え、前記真空断熱材は、前記内容器の天面、側面および底面のいずれか一面を除く他の前記内容器の天面、側面および底面の少なくとも一面に、前記真空断熱材のヒレ状の外周部を前記内容器の外側に向け折り曲げた状態で、粘着体により貼り付けられることを特徴とするものであり、内容器の天面、側面および底面のうち真空断熱材を貼り付けた面を液体コーヒーの断熱する箇所とし、内容器の天面、側面および底面のうち真空断熱材を貼り付けていない面を液体コーヒーの放熱する箇所としたので、容器内のコーヒーを味が損なわれないまま、所定時間、所定の温度に維持することが出来る。
【００２６】
請求項２に記載の断熱コーヒー容器の発明は、請求項１に記載の発明において、前記内容器の側面および底面には前記真空断熱材を貼り付け、前記内容器の天面には前記真空断熱材を貼り付けないことを特徴とするものであり、内容器の側面および底面を液体コーヒーの断熱する箇所とし、内容器の天面を液体コーヒーの放熱する箇所としたので、より容器内のコーヒーを味が損なわれないまま、所定時間、所定の温度に維持することが出来る。
【００２７】
請求項３に記載の断熱コーヒー容器の発明は、排出パイプを設けた内容器と、前記排出パイプと連通する抽出弁を備え前記内容器を覆う外ケースと、前記内容器と前記外ケースとの間に配設される熱貫流率が１．５Ｗ／ｍ2Ｋ以下の真空断熱材と、前記内容器の天面、側面および底面のいずれか一面を加熱可能に前記内容器と前記外ケースとの間に配設されるＰＴＣヒータとを備え、前記真空断熱材は、前記内容器の天面、側面および底面のいずれか一面を除く他の前記内容器の天面、側面および底面の少なくとも一面に、前記真空断熱材のヒレ状の外周部を前記内容器の外側に向け折り曲げた状態で、粘着体により貼り付けられることを特徴とするものであり、内容器の天面、側面および底面のうち真空断熱材を貼り付けた面を液体コーヒーの断熱する箇所とし、内容器の天面、側面および底面のうちＰＴＣヒータを貼り付けた面を液体コーヒーの加熱する箇所とし、内容器の天面、側面および底面のうち真空断熱材を貼り付けていない面を液体コーヒーの放熱する箇所としたので、容器内のコーヒーを味が損なわれないまま、所定時間、所定の温度に維持することが出来る。
【００２８】
請求項４に記載の断熱コーヒー容器の発明は、請求項３に記載の発明において、前記内容器の側面には前記真空断熱材を貼り付け、前記内容器の天面には前記真空断熱材を貼り付けず、前記内容器の底面に前記ＰＴＣヒータを貼り付けることを特徴とするものであり、内容器の側面を液体コーヒーの断熱する箇所とし、内容器の底面を液体コーヒーの加熱する箇所とし、内容器の天面を液体コーヒーの放熱する箇所としたので、より容器内のコーヒーを味が損なわれないまま、所定時間、所定の温度に維持することが出来る。
【００２９】
請求項５に記載の断熱コーヒー容器の発明は、請求項１から請求項４のいずれか一項に記載の発明における前記真空断熱材が、熱溶着層同士が対向する外被材の間に複数の芯材が互いに所定間隔離れて減圧密封されて成り、対向する前記熱溶着層同士が密着している部分がそれぞれの前記芯材形状に沿うように前記芯材の際まで熱溶着されているものであり、前記真空断熱材が、隣接する前記芯材と前記芯材との間における対向する外被材同士が溶着されている部分で折り曲げられた状態で、前記内容器の天面、側面および底面のいずれかの複数の面を一緒に覆っていることを特徴とするものであり、真空断熱材の折り曲げ、貼り付けが容易となり、各面の角部や端部からの熱の授受を少なくすることにより、内容器全体を断熱することが出来る。
【００３０】
請求項６に記載の断熱コーヒー容器の発明は、請求項１から請求項４のいずれか一項に記載の発明における前記真空断熱材が、外被材の間に芯材が存在する芯材部において折り曲げられた状態で、前記内容器の天面、側面および底面のいずれかの複数の面を一緒に覆っていることを特徴とするものであり、真空断熱材の芯材部を折り曲げたので、真空断熱材の貼り付けが容易となり、各面の角部や端部からの熱の授受を少なくすることにより、内容器全体を断熱することが出来る。
【００３１】
以下、本発明による断熱コーヒー容器の実施の形態について、図面を参照しながら説明する。なお、この実施の形態によってこの発明が限定されるものではない。
【００３２】
（実施の形態１）
図１は本発明の実施の形態１による断熱コーヒー容器の断面図、図２は同実施の形態の断熱コーヒー容器に用いる真空断熱材の外周部折り曲げ前の状態を示す断面図、図３は同実施の形態の断熱コーヒー容器に用いる真空断熱材の外周部折り曲げ後の状態を示す断面図である。
【００３３】
図に示すように、本実施の形態の断熱コーヒー容器は、排出パイプ４を設けた直方体形状の内容器２と、排出パイプ４と連通する抽出弁５を備え内容器２を覆う直方体形状の外ケース１と、内容器２と外ケース１との間に配設される熱貫流率が１．５Ｗ／ｍ2Ｋ以下の（５枚の）真空断熱材３とを備える。
【００３４】
真空断熱材３は、内容器２の天面、側面および底面のいずれか一面（本実施の形態では天面）を除く他の内容器２の天面、側面および底面の少なくとも一面（本実施の形態では側面および底面）に、真空断熱材３のヒレ状の外周部３ａを内容器２の外側に向け折り曲げた状態で、粘着体により貼り付けられる。
【００３５】
上記構成により、コーヒーサーバータンクとしては、軽量で迅速な取り扱いが可能で、容量も多く、コーヒーをドリップする回数を少なくすることが可能となる。
【００３６】
以上のように構成された断熱コーヒー容器について、まず内容器２の側面および底面に同面積の芯材３ｂとした真空断熱材３を粘着体により貼り付け、内容器２の排出パイプ４に抽出弁５を連通させ、外ケース１内に挿入することで断熱性の高い容器とすることが出来る。
【００３７】
ここで、本実施の形態では、真空断熱材３を貼り付けることなく、液体コーヒーの放熱する箇所を天面としたが、内容器２の形態、１回あたりのコーヒーのドリップ量等により、放熱箇所を側面の一面や底面に変更することは構わない。
【００３８】
外ケース１の材質は特に断熱性等を考慮することは必要でなく、特に限定するものではないが、中でもコーヒーサーバータンクとしての高品質性を考えると金属製またはプラスチック製であることが望ましい。
【００３９】
また、本実施の形態では、外ケース１の形状を内容器２と同形状のものとしたが、特に限定するものではなく、コーヒーサーバーの形態に沿うものとすることが望ましい。
【００４０】
ただ、内容器２の材質は特に断熱性を考慮したものであることが望ましいが、特に限定するものではなく、中でもコーヒーサーバータンクとしてはコーヒーの味の品質を考えるとプラスチック製であることが望ましい。
【００４１】
また、本実施の形態では内容器２の形状を直方体としたが、特に限定するものではなく、外ケース１の形状に沿うものとすることが望ましい。
【００４２】
真空断熱材３は、芯材３ｂと、芯材３ｂを覆う外被材３ｃと、必要に応じて真空断熱材３内のガスや水分を吸着する吸着剤とで構成され、真空断熱材３の熱貫流率が１．５Ｗ／ｍ2Ｋ以下となるように、芯材３ｂの材料、真空断熱材３の厚さ、真空断熱材３の真空度を調整しなければならない。
【００４３】
ここで、真空断熱材３の各芯材３ｂ部における熱貫流率は、雰囲気温度２５〜２７℃の環境の中で、約８５℃、２Ｌのコーヒーを内容器２に注いだ状態で、熱流センサーにより測定され、１．５Ｗ／ｍ2Ｋ以下であることが望ましいが、さらに熱貫流率は１．０Ｗ／ｍ2Ｋ以下であることが望ましく、しいては０．５Ｗ／ｍ2Ｋ以下であることが望ましい。
【００４４】
芯材３ｂは、ガラス繊維等といった繊維、シリカ粉末等といった粉末等、特に限定するものではない。
【００４５】
同様に外被材３ｃは特に限定するものではないが、アルミニウム等の金属箔や、金属または無酸化物の蒸着されたフィルムをガスバリア層とし、ガスバリア層の内面側に無延伸ポリプロピレン、直鎖状低密度ポリエチレン等のフィルムを熱溶着として積層すると共に、ガスバリア層の外側面にナイロンやポリエチレンテレフタレート等のフィルムを保護層として積層したラミネートフィルムであることが望ましい。
【００４６】
吸着剤としては、ガス吸着剤や水分吸着剤等のゲッター物質で、真空断熱材３の真空度を下げる作用や維持する作用があるものであれば、特に限定するものではない。
【００４７】
また、粘着体は、耐水性、耐温度性に優れた樹脂接着剤やテープであれば、特に限定するものではないが、粘着両面テープが望ましい。粘着両面テープの片側を真空断熱材３に貼り付け、続いてもう片側を内容器２に貼り付けることで容易に真空断熱材３を内容器２の側面および底面に貼り付けることが出来る。
【００４８】
さらに図２に示すように、真空断熱材３の芯材３ｂの外周側に位置するヒレ状の外周部３ａを折り曲げずに、内容器２または外ケース１に貼り付けても構わないが、しいては図３に示すように、真空断熱材３の外周部３ａを折り曲げた状態で、粘着両面テープの片側を真空断熱材３に貼り付け、内容器２の側面および底面に外周部３ａを折り曲げた方を向け貼り付けることが望ましい。
【００４９】
ここで、内容器２に外周部３ａを折り曲げた方を向け貼り付けると、外被材３ｃの熱溶着端面が液体の熱により、真空劣化の影響を受け、断熱性能の耐久性が低下してしまうので、望ましくない。
【００５０】
よって、断熱材の配設に多大な設備投資が必要なく、充填に手間がかからなく、簡単に断熱効果を得られることが出来る。
【００５１】
以上の形態において、最適な真空断熱材３の適用仕様を見出すために、雰囲気温度２５〜２７℃の環境の中で、約８５℃、２Ｌのコーヒーを内容器２に注ぎ、３０分後、１時間後の温度差を測定した結果を（表１）に示す。
【００５２】
【表１】
2006239198.tif 000003
ここで、図４のように真空断熱材３を内容器２の底面のみに貼り付けた仕様も同時に比較検討した。また、内容器２の熱容量の影響を除外するように、内容器２は予め約８５℃のコーヒーで共洗いをしておいた。
【００５３】
コーヒーの温度を約８５℃としたのは、沸騰したお湯を注ぐと温度が高過ぎ、コーヒーの苦味や渋みが強調され、色も濃く濁った感じになり、お湯の温度が低いと酸味が強調され、ただ色の付いた薄くコクのないものになるというコーヒー独特の性質があるからである。
【００５４】
さらに、コーヒーの味が損なわれないようにするためには、コーヒーの成分である低温に弱いタンニンや高温に弱いカフェインが損なわれない温度帯である７８〜８２℃に１時間保つことが望ましい。
【００５５】
（表１）からわかるように、真空断熱材３を内容器２の側面および底面に貼り付けることにより、１時間後もコーヒーの味が損なわれない温度帯に保つことが出来る。これは、側面および底面に真空断熱材３を貼り付け、液体コーヒーの断熱する箇所とし、内容器２の天面は真空断熱材３を貼り付けることなく、液体コーヒーの放熱する箇所とした断熱する箇所としたため、バランスよい温度制御が出来たためである。
【００５６】
一方、真空二重びんでは断熱性能が高すぎて温度が下がらず、コーヒーの味も苦味や渋みが強調されてしまう結果となった。
【００５７】
また、真空断熱材３を内容器２の底面のみに貼り付けた場合は、側面および底面に貼り付けた仕様と比較するとわかるように、側面からの放熱の影響が強く、１時間後もコーヒーの味が損なわれない温度帯に保つことが出来ない。つまり、真空断熱材３を直方体形状の内容器２の側面に貼り付ける本実施の形態では断熱に効果的なことがよくわかる。
【００５８】
よって、これにより蓄熱体を全く必要とすることがないので、蓄熱体の加熱、出し入れの手間がかかり、また蓄熱体は消耗品のため、ランニングコストもかかるといった課題を解決することが出来る。
【００５９】
以上のように、本実施の形態の断熱コーヒー容器は、排出パイプ４を設けた直方体形状の内容器２と、排出パイプ４と連通する抽出弁５を備え内容器２を覆う直方体形状の外ケース１と、内容器２と外ケース１との間に配設される熱貫流率が１．５Ｗ／ｍ2Ｋ以下の真空断熱材３とを備え、真空断熱材３は、内容器２の天面、側面および底面のいずれか一面（本実施の形態では天面）を除く他の内容器２の天面、側面および底面の少なくとも一面（本実施の形態では側面および底面）に、真空断熱材３のヒレ状の外周部３ａを内容器２の外側に向け折り曲げた状態で、粘着体により貼り付けられる構成となっているものであり、内容器２の天面、側面および底面のうち真空断熱材３を貼り付けた面（本実施の形態では側面および底面）を液体コーヒーの断熱する箇所とし、内容器２の天面、側面および底面のうち真空断熱材３を貼り付けていない面（本実施の形態では天面）を液体コーヒーの放熱する箇所としたので、容器内のコーヒーを味が損なわれないまま、所定時間、所定の温度に維持することが出来、軽量で迅速な取り扱いが可能で、容量も多く、コーヒーをドリップする回数を少なくすることを可能で、コーヒーの味が損なわれない断熱コーヒー容器を提供することが出来る。
【００６０】
なお、本実施の形態のように、内容器２の側面および底面に真空断熱材３を貼り付け、内容器２の天面には真空断熱材３を貼り付けないようにすれば、より容器内のコーヒーを味が損なわれないまま、所定時間、所定の温度に維持することが出来る。
【００６１】
（実施の形態２）
図５は本発明の実施の形態２による断熱コーヒー容器に用いる真空断熱材の折り曲げ前の状態を示す平面図、図６は同実施の形態による断熱コーヒー容器の組み立て斜視図である。
【００６２】
図に示すように、本実施の形態の断熱コーヒー容器は、排出パイプ４を設けた直方体形状の内容器２と、排出パイプ４と連通する抽出弁５を備え内容器２を覆う直方体形状の外ケース１と、内容器２と外ケース１との間に配設される熱貫流率が１．５Ｗ／ｍ2Ｋ以下の真空断熱材３とを備える。
【００６３】
真空断熱材３は、内容器２の天面、側面および底面のいずれか一面（本実施の形態では天面と底面）を除く他の内容器２の天面、側面および底面の少なくとも一面（本実施の形態では側面）に、真空断熱材３のヒレ状の外周部３ａを内容器２の外側に向け折り曲げた状態で、粘着体により貼り付けられる。
【００６４】
本実施の形態の真空断熱材３は、熱溶着層同士が対向する外被材３ｃの間に複数（本実施の形態では４つ）の芯材３ｂが互いに所定間隔離れて減圧密封されて成り、対向する熱溶着層同士が密着している部分がそれぞれの芯材３ｂ形状に沿うように芯材３ｂの際まで熱溶着されているものである。
【００６５】
また、本実施の形態の真空断熱材３は、隣接する芯材３ｂと芯材３ｂとの間における対向する外被材３ｃ同士が溶着されている部分（図５の二点鎖線で示す折り曲げ線）で折り曲げられた状態で、内容器２の天面、側面および底面のいずれかの複数の面（本実施の形態では４面の側面）を一緒に覆っている。
【００６６】
実施の形態１の真空断熱材３は、真空断熱材３を貼り付ける面（側面と底面）のそれぞれの面に一枚ずつ合計５枚貼り付けたが、本実施の形態の真空断熱材３は、１枚で４面の側面を覆うものである。
【００６７】
本実施の形態と実施の形態１とは、真空断熱材３の形状が異なるだけで、その他の構成は同じである。
【００６８】
真空断熱材３の各芯材３ｂ部における熱貫流率が１．５Ｗ／ｍ2Ｋ以下となるように、芯材の材料、真空断熱材３の厚さ、真空断熱材３の真空度を調整しなければならない。
【００６９】
ここで、真空断熱材３の各芯材３ｂ部における熱貫流率は、雰囲気温度２５〜２７℃の環境の中で、約８５℃、２Ｌのコーヒーを内容器２に注いだ状態で、熱流センサーにより測定され、１．５Ｗ／ｍ2Ｋ以下であることが望ましいが、さらに熱貫流率は１．０Ｗ／ｍ2Ｋ以下であることが望ましく、しいては０．５Ｗ／ｍ2Ｋ以下であることが望ましい。
【００７０】
芯材３ｂは、ガラス繊維等といった繊維、シリカ粉末等といった粉末等、特に限定するものではない。
【００７１】
同様に外被材３ｃは特に限定するものではないが、アルミニウム等の金属箔や、金属または無酸化物の蒸着されたフィルムをガスバリア層とし、ガスバリア層の内面側に無延伸ポリプロピレン、直鎖状低密度ポリエチレン等のフィルムを熱溶着として積層すると共に、ガスバリア層の外側面にナイロンやポリエチレンテレフタレート等のフィルムを保護層として積層したラミネートフィルムであることが望ましい。
【００７２】
吸着剤としては、ガス吸着剤や水分吸着剤等のゲッター物質で、真空断熱材３の真空度を下げる作用や維持する作用があるものであれば特に限定するものではない。
【００７３】
本実施の形態では、図６に示すように、内容器２の外側に、真空断熱材３を、図５の二点鎖線で示す折り曲げ線で折り曲げて貼り付け、真空断熱材３を側面に貼り付けた内容器２を外ケース１に挿入したものであるが、外ケース１の内側に同様の真空断熱材３を貼り付ける場合も、折り曲げ線に沿って折り曲げ、貼り付ければよい。
【００７４】
これにより、各側面を真空断熱材３単体によりそれぞれ貼り付けた場合より、各面の角部や端部からの熱の授受を少なくすることが出来る。
【００７５】
本実施の形態の断熱コーヒー容器は、熱溶着層同士が対向する外被材３ｃの間に複数（本実施の形態では４つ）の芯材３ｂが互いに所定間隔離れて減圧密封されて成り、対向する熱溶着層同士が密着している部分がそれぞれの芯材３ｂ形状に沿うように芯材３ｂの際まで熱溶着された構成の真空断熱材３が、隣接する芯材３ｂと芯材３ｂとの間における対向する外被材３ｃ同士が溶着されている部分（図５の二点鎖線で示す折り曲げ線）で折り曲げられた状態で、内容器２の天面、側面および底面のいずれかの複数の面（本実施の形態では４面の側面）を一緒に覆っている構成であり、実施の形態１の断熱コーヒー容器の作用効果に加えて、真空断熱材３の折り曲げ、貼り付けが容易となり、各面の角部や端部からの熱の授受を少なくしたので、内容器２全体を断熱することが出来る。
【００７６】
よって、本実施の形態の断熱コーヒー容器は、コーヒーの味が損なわれないように、蓄熱体を全く必要とすることがないので、蓄熱体の加熱、出し入れの手間がかかり、また蓄熱体は消耗品のため、ランニングコストもかかるといった課題を解決することが出来る。
【００７７】
（実施の形態３）
図７は本発明の実施の形態３による断熱コーヒー容器に用いる真空断熱材の折り曲げ前の状態を示す平面図、図８は同実施の形態による断熱コーヒー容器の組み立て斜視図である。
【００７８】
図に示すように、本実施の形態の断熱コーヒー容器は、排出パイプ４を設けた直方体形状の内容器２と、排出パイプ４と連通する抽出弁５を備え内容器２を覆う直方体形状の外ケース１と、内容器２と外ケース１との間に配設される熱貫流率が１．５Ｗ／ｍ2Ｋ以下の真空断熱材３とを備える。
【００７９】
真空断熱材３は、内容器２の天面、側面および底面のいずれか一面（本実施の形態では天面と底面）を除く他の内容器２の天面、側面および底面の少なくとも一面（本実施の形態では側面）に、真空断熱材３のヒレ状の外周部３ａを内容器２の外側に向け折り曲げた状態で、粘着体により貼り付けられる。
【００８０】
実施の形態２の真空断熱材３は、外被材３ｃの間に芯材３ｂが存在しない部分で折り曲げたが、本実施の形態の真空断熱材３は、外被材３ｃの間に芯材３ｂが存在する芯材３ｂ部（図７の二点鎖線で示す折り曲げ線）において折り曲げるものであり、真空断熱材３が、折り曲げられた状態で、内容器２の天面、側面および底面のいずれかの複数の面（本実施の形態では側面）を一緒に覆っている。
【００８１】
本実施の形態と実施の形態２とは、真空断熱材３の形状が異なるだけで、その他の構成は同じである。
【００８２】
本実施の形態では、図８に示すように、内容器２の外側に、真空断熱材３を、図７の二点鎖線で示す折り曲げ線で折り曲げて貼り付け、真空断熱材３を側面に貼り付けた内容器２を外ケース１に挿入したものであるが、外ケース１の内側に同様の真空断熱材３を貼り付ける場合も、折り曲げ線に沿って折り曲げ、貼り付ければよい。
【００８３】
ここで、真空断熱材３を折り曲げる時には、予め折り曲げることが容易となるように溝を付けておくとよい。溝の形状は特に限定するものではないが、真空断熱材３の厚さに対して、溝の深さは７５％以下であることが望ましい。７５％以上であると、溝加工時に真空断熱材３を破袋させてしまう。
【００８４】
真空断熱材３の熱貫流率が１．５Ｗ／ｍ2Ｋ以下となるように、芯材３ｂの材料、真空断熱材３の厚さ、真空断熱材３の真空度を調整しなければならない。
【００８５】
ここで、真空断熱材３の各芯材３ｂ部における熱貫流率は、雰囲気温度２５〜２７℃の環境の中で、約８５℃、２Ｌのコーヒーを内容器２に注いだ状態で、熱流センサーにより測定され、１．５Ｗ／ｍ2Ｋ以下であることが望ましいが、さらに熱貫流率は１．０Ｗ／ｍ2Ｋ以下であることが望ましく、しいては０．５Ｗ／ｍ2Ｋ以下であることが望ましい。
【００８６】
芯材３ｂは、ガラス繊維等といった繊維、シリカ粉末等といった粉末等、特に限定するものではない。
【００８７】
同様に外被材３ｃは特に限定するものではないが、アルミニウム等の金属箔や、金属または無酸化物の蒸着されたフィルムをガスバリア層とし、ガスバリア層の内面側に無延伸ポリプロピレン、直鎖状低密度ポリエチレン等のフィルムを熱溶着として積層すると共に、ガスバリア層の外側面にナイロンやポリエチレンテレフタレート等のフィルムを保護層として積層したラミネートフィルムであることが望ましい。
【００８８】
吸着剤としては、ガス吸着剤や水分吸着剤等のゲッター物質で、真空断熱材３の真空度を下げる作用や維持する作用があるものであれば特に限定するものではない。
【００８９】
これにより、各面を真空断熱材３単体によりそれぞれ貼り付けた場合より、各面の角部や端部からの熱の授受を少なくすることが出来る。
【００９０】
よって、本実施の形態の断熱コーヒー容器は、真空断熱材３の折り曲げ、貼り付けが容易となり、各面の角部や端部からの熱の授受を少なくしたので、内容器２全体を断熱することが出来る。
【００９１】
以上により、本実施の形態の断熱コーヒー容器は、コーヒーの味が損なわれないように、蓄熱体を全く必要とすることがないので、蓄熱体の加熱、出し入れの手間がかかり、また蓄熱体は消耗品のため、ランニングコストもかかるといった課題を解決することが出来る。
【００９２】
（実施の形態４）
図９は本発明の実施の形態４による断熱コーヒー容器の断面図である。
【００９３】
図９に示すように、本実施の形態の断熱コーヒー容器は、排出パイプ４を設けた直方体形状の内容器２と、排出パイプ４と連通する抽出弁５を備え内容器２を覆う直方体形状の外ケース１と、内容器２の側面と外ケース１との間に配設される熱貫流率が１．５Ｗ／ｍ2Ｋ以下の真空断熱材３と、内容器２の天面、側面および底面のいずれか一面（本実施の形態では底面）を加熱可能に内容器２の底面と外ケース１との間に配設されるＰＴＣヒータ６とを備える。
【００９４】
真空断熱材３は、内容器２の天面、側面および底面のいずれか一面（本実施の形態では天面と底面）を除く他の内容器２の天面、側面および底面の少なくとも一面（本実施の形態では側面）に、真空断熱材３のヒレ状の外周部３ａを内容器２の外側に向け折り曲げた状態で、粘着体により貼り付けられる。
【００９５】
本実施の形態は、実施の形態２または実施の形態３の断熱コーヒー容器の内容器２の底面と外ケース１との間にＰＴＣヒータ６を配設したような構成となっている。
【００９６】
これによりコーヒーサーバータンクとしては、軽量で迅速な取り扱いが可能で、容量も多く、コーヒーをドリップする回数を少なくすることが可能となる。
【００９７】
以上のように構成された断熱コーヒー容器について、まず内容器２の側面に同面積の芯材とした真空断熱材３を粘着体により貼り付け、内容器２の排出パイプ４に抽出弁５を連通させ、外ケース１内に挿入することで断熱性の高い容器とすることが出来る。
【００９８】
さらに、内容器２の底面にＰＴＣヒータ６を貼り付け、底面から液体コーヒーを加熱することが出来る形態とする。内容器２の底面を加熱箇所とし、側面を断熱箇所とし、天面を放熱箇所とすることで、コーヒーの温度を味が損なわれない温度帯（７８〜８２℃）に保つ仕様としている。
【００９９】
これにより、金型投資を必要とせず、部品点数が少なく低コストで、コーヒーの味が損なわれない温度帯で温度制御することが出来る。
【０１００】
ここで、本実施の形態では、真空断熱材３を貼り付けることなく、液体コーヒーの放熱する箇所を天面としたが、内容器２の形態、１回あたりのコーヒーのドリップ量等により、放熱箇所を側面の一面や底面に変更することは構わない。
【０１０１】
同様に、本実施の形態では、内容器２の底面にＰＴＣヒータ６を貼り付け、液体コーヒーを加熱する箇所を底面としたが、内容器２の形態、１回あたりのコーヒーのドリップ量等により、加熱箇所を側面の一面や天面に変更することは構わない。
【０１０２】
実施の形態１のように、真空断熱材３を内容器２の底面のみに貼り付けた場合は、側面および底面に貼り付けた仕様と比較するとわかるように、側面からの放熱の影響が強く、１時間後もコーヒーの味が損なわれない温度帯に保つことが出来ない。つまり、真空断熱材３を直方体形状の内容器２の側面に貼り付ける本実施の形態では断熱に効果的なことがよくわかっている。
【０１０３】
さらに、ＰＴＣヒータ６により底面から加熱をすることにより、繊細な温度制御が可能となり、コーヒーの温度を味が損なわれない温度帯（７８〜８２℃）に保つことが可能となる。
【０１０４】
ここで、ＰＴＣヒータ６は定格電圧ＡＣ１００Ｖ、キュリー温度が７０〜８０℃のものが望ましい。キュリー温度より実際のヒータの表面温度は高くなることから、コーヒーの温度を味が損なわれない温度帯（７８〜８２℃）に保つために、ヒータの表面温度が８５℃以上にならないように、キュリー温度を選定する必要がある。
【０１０５】
以上から、本実施の形態の断熱コーヒー容器は、内容器２の底面にＰＴＣヒータ６を貼り付け、内容器２の底面を加熱箇所とし、側面を断熱箇所とし、天面を放熱箇所とすることで、コーヒーの温度を味が損なわれない温度帯に保つことが出来る。
【産業上の利用可能性】
【０１０６】
以上のように、本発明にかかる断熱コーヒー容器は、最適な真空断熱材の適用仕様により断熱するので、一定の温度帯に保温することが出来、液体の味が損なわれなく、軽量で、容量も多い容器を提供するが可能となるので、ホット用、アイス用に関わらず、緑茶、紅茶、烏龍茶等といったお茶類に代表される抽出飲料用容器、水、牛乳、果汁飲料、乳酸飲料等といった飲料用容器、日本酒、ワイン、ビール等といったアルコール飲料用容器、スープ、ポタージュ等といった調理飲料用容器の用途にも適用出来る。
【図面の簡単な説明】
【０１０７】
【図１】本発明の実施の形態１による断熱コーヒー容器の断面図
【図２】同実施の形態の断熱コーヒー容器に用いる真空断熱材の外周部折り曲げ前の状態を示す断面図
【図３】同実施の形態の断熱コーヒー容器に用いる真空断熱材の外周部折り曲げ後の状態を示す断面図
【図４】同実施の形態の比較例による断熱コーヒー容器の断面図
【図５】本発明の実施の形態２による断熱コーヒー容器に用いる真空断熱材の折り曲げ前の状態を示す平面図
【図６】同実施の形態による断熱コーヒー容器の組み立て斜視図
【図７】本発明の実施の形態３による断熱コーヒー容器に用いる真空断熱材の折り曲げ前の状態を示す平面図
【図８】同実施の形態による断熱コーヒー容器の組み立て斜視図
【図９】本発明の実施の形態４による断熱コーヒー容器の断面図
【符号の説明】
【０１０８】
１    外ケース
２    内容器
３    真空断熱材
３ａ  外周部
３ｂ  芯材
３ｃ  外被材
４    排出パイプ
５    排出弁
６    ＰＴＣヒータ
【図１】
2006239198.tif 000004
【図２】
2006239198.tif 000005
【図３】
2006239198.tif 000006
【図４】
2006239198.tif 000007
【図５】
2006239198.tif 000008
【図６】
2006239198.tif 000009
【図７】
2006239198.tif 000010
【図８】
2006239198.tif 000011
【図９】
2006239198.tif 000012